(57)【要約】【課題】上端部の防水処理を簡易に行うことができる化粧胴差を提供する。【解決手段】建物１の外壁面２に設けられる化粧胴差３０であって、外壁面２に固定されるブラケット３０Ａと、ブラケット３０Ａに嵌め込まれて支持される胴差本体３０Ｂとから成り、胴差本体３０Ｂの上端部の内側には、弾性部材４が設けられた構成とされている。【選択図】図２
2016180288.tif 000002
【特許請求の範囲】
【請求項１】
建物の外壁面に設けられる化粧胴差であって、
前記外壁面に固定されるブラケットと、
前記ブラケットに嵌め込まれて支持される胴差本体とから成り、
前記胴差本体の上端部の内側には、弾性部材が設けられていることを特徴とする化粧胴差。
【請求項２】
前記胴差本体の下端部には、下方に延設した水切部が設けられていることを特徴とする請求項１に記載の化粧胴差。
【請求項３】
前記ブラケットの前側表面の形状と、前記胴差本体の前側裏面の形状とが略同一とされていることを特徴とする請求項１又は２に記載の化粧胴差。
【請求項４】
前記ブラケット及び前記胴差本体は、前側の中間部に窪みを有する断面形状であることを特徴とする請求項３に記載の化粧胴差。
【請求項５】
建物の外壁面に設けられた化粧胴差の取付構造であって、
請求項１乃至４のいずれか１項に記載の化粧胴差が用いられており、
前記ブラケットが、前記外壁面に固定され、固定された当該ブラケットに、前記胴差本体が嵌め込まれ、前記弾性部材が当該胴差本体の上端部と前記外壁面との間で圧縮変形し、上側が水密状態となっていることを特徴とする化粧胴差の取付構造。
【請求項６】
前記ブラケットの上部及び下部と、前記胴差本体の上部及び下部とには、係合突起がそれぞれ設けられ、前記ブラケットに前記胴差本体が嵌め込まれ、前記係合突起同士が係合し、固定されていることを特徴とする請求項５に記載の化粧胴差の取付構造。
【請求項７】
前記ブラケットの上側面と、前記胴差本体の上側面とが、締結部材で固定されていることを特徴とする請求項５又は６に記載の化粧胴差の取付構造。
【請求項８】
前記ブラケットの前側面と、前記胴差本体の前側面とが、固定部材で固定されていることを特徴とする請求項５乃至７のいずれか１項に記載の化粧胴差の取付構造。
【請求項９】
前記ブラケットは、前記胴差本体の長手方向に間隔を置いて複数個設けられるピース部材であることを特徴とする請求項５乃至８のいずれか１項に記載の化粧胴差の取付構造。
【請求項１０】
建物の外壁面に設けられた既設の化粧胴差を交換する建物の改修方法であって、
前記既設の化粧胴差を前記建物から撤去し、請求項１乃至４のいずれか１項に記載の化粧胴差に交換することを特徴とする建物の改修方法。
【請求項１１】
前記請求項１乃至４のいずれか１項に記載の化粧胴差には、前記既設の化粧胴差よりも上下幅が広いものを用いることを特徴とする請求項１０に記載の建物の改修方法。
【発明の詳細な説明】
【技術分野】
【０００１】
本発明は、建物の外壁面に設けられる化粧胴差、この化粧胴差の取付構造、及びこの化粧胴差を用いた建物の改修方法に関するものである。
【背景技術】
【０００２】
従来から、建物の外壁面に化粧胴差を設けて、壁部材間の防水処理を行うだけでなく、建物の意匠性を高めることがなされている（例えば特許文献１〜７等を参照）。
【先行技術文献】
【特許文献】
【０００３】
【特許文献１】特開平０７−３１７２９１号公報
【特許文献２】特開平１１−１４１１１２号公報
【特許文献３】特開平０５−１４１０７８号公報
【特許文献４】特開平０６−２４０８５４号公報
【特許文献５】特開平０８−２７０２００号公報
【特許文献６】特開２００１−９８７５３号公報
【特許文献７】特開２００３−０３６４２号公報
【発明の概要】
【発明が解決しようとする課題】
【０００４】
特許文献１〜７に開示された化粧胴差は、いずれも、建物の外壁面に固定されるブラケットと、このブラケットに嵌め込まれる胴差本体とから成るタイプであるが、上端部の防水処理の方法が異なる。
【０００５】
特許文献１，２に開示された化粧胴差では、建物の外壁面に胴差本体の上端部を密着させて、防水性を確保するものであるが、このように密着させるには、外壁面の塗装等の厚さでさえ無視できず、この化粧胴差を構成するブラケット及び胴差本体を、かなり高精度に製造しなければならず、特に、化粧胴差を交換する改修を行う場合には、既設の化粧胴差を撤去した部分と周囲の部分とに大きな段差ができ、新規の化粧胴差を構成するブラケットと胴差本体とが、この段差によりうまく組み立てられないこともある。
【０００６】
特許文献３〜７に開示された化粧胴差では、建物の外壁面に胴差本体の上端部を密着させて、防水性を確保するために、シール処理やコーキング処理を別途行わなければならない。
【０００７】
そこで、本発明は、上端部の防水処理を簡易に行うことができる化粧胴差、この化粧胴差の取付構造、及びこの化粧胴差を用いた建物の改修方法を提供することを目的としている。
【課題を解決するための手段】
【０００８】
前記目的を達成するために、本発明の化粧胴差は、建物の外壁面に設けられる化粧胴差であって、前記外壁面に固定されるブラケットと、前記ブラケットに嵌め込まれて支持される胴差本体とから成り、前記胴差本体の上端部の内側には、弾性部材が設けられていることを特徴とする。
【０００９】
ここで、前記胴差本体の下端部には、下方に延設した水切部が設けられているとよい。
【００１０】
また、前記ブラケットの前側表面の形状と、前記胴差本体の前側裏面の形状とが略同一とされているとよい。
【００１１】
さらに、前記ブラケット及び前記胴差本体は、前側の中間部に窪みを有する断面形状であるとよい。
【００１２】
本発明の化粧胴差の取付構造は、建物の外壁面に設けられた化粧胴差の取付構造であって、上記した本発明の化粧胴差が用いられており、前記ブラケットが、前記外壁面に固定され、固定された当該ブラケットに、前記胴差本体が嵌め込まれ、前記弾性部材が当該胴差本体の上端部と前記外壁面との間で圧縮変形し、上側が水密状態となっていることを特徴とする。
【００１３】
ここで、前記ブラケットの上部及び下部と、前記胴差本体の上部及び下部とには、係合突起がそれぞれ設けられ、前記ブラケットに前記胴差本体が嵌め込まれ、前記係合突起同士が係合し、固定されているとよい。
【００１４】
また、前記ブラケットの上側面と、前記胴差本体の上側面とが、締結部材で固定されているとよい。
【００１５】
さらに、前記ブラケットの前側面と、前記胴差本体の前側面とが、固定部材で固定されているとよい。
【００１６】
また、前記ブラケットは、前記胴差本体の長手方向に間隔を置いて複数個設けられるピース部材であるとよい。
【００１７】
本発明の建物の改修方法は、建物の外壁面に設けられた既設の化粧胴差を交換する建物の改修方法であって、前記既設の化粧胴差を前記建物から撤去し、上記した本発明の化粧胴差に交換することを特徴とする。
【００１８】
ここで、前記本発明の化粧胴差には、前記既設の化粧胴差よりも上下幅が広いものを用いるとよい。
【発明の効果】
【００１９】
このような本発明の化粧胴差は、建物の外壁面に設けられる化粧胴差であって、外壁面に固定されるブラケットと、ブラケットに嵌め込まれて支持される胴差本体とから成り、胴差本体の上端部の内側には、弾性部材が設けられた構成とされている。
【００２０】
上記した構成なので、ブラケットに胴差本体を嵌め込むと、胴差本体の上端部と外壁面との間で弾性部材が圧縮変形することにより、製造誤差や外壁面の段差等による不具合な隙間を吸収した防水構造となるため、上端部の防水処理を簡易に行うことができる。
【００２１】
ここで、胴差本体の下端部には、下方に延設した水切部が設けられている場合は、水切部で下端部の防水が行えるし、雨垂れにより下方の外壁面が汚れることも防止することができる。
【００２２】
また、ブラケットの前側表面の形状と、胴差本体の前側裏面の形状とが略同一とされている場合は、化粧胴差の前側が二重構造となり、その分、高強度とすることができる。
【００２３】
さらに、ブラケット及び胴差本体は、前側の中間部に窪みを有する断面形状である場合は、化粧胴差の断面二次モーメントが大きくなり、その分、より高強度とすることができる。
【００２４】
このような本発明の化粧胴差の取付構造は、建物の外壁面に設けられた化粧胴差の取付構造であって、上記した本発明の化粧胴差が用いられており、ブラケットが、外壁面に固定され、固定されたブラケットに、胴差本体が嵌め込まれ、弾性部材が胴差本体の上端部と外壁面との間で圧縮変形し、上側が水密状態となった構成とされている。
【００２５】
上記した構成なので、上記した本発明の化粧胴差の効果を奏する取付構造とすることができる。
【００２６】
ここで、ブラケットの上部及び下部と、胴差本体の上部及び下部とには、係合突起がそれぞれ設けられ、ブラケットに胴差本体が嵌め込まれ、係合突起同士が係合し、固定されている場合は、ブラケットに胴差本体を嵌め込むだけで簡易に固定することができる。
【００２７】
また、ブラケットの上側面と、胴差本体の上側面とが、締結部材で固定されている場合は、ブラケットと胴差本体との固定強度をより高めることができ、締結部材で固定する位置は、ブラケット及び胴差本体の上側面なので、地上から見上げてもその部分は隠れ、意匠的美観が損なわれることはない。
【００２８】
さらに、ブラケットの前側面と、胴差本体の前側面とが、固定部材で固定されている場合は、ブラケットと胴差本体との固定強度を更により高めることができる。
【００２９】
また、ブラケットは、胴差本体の長手方向に間隔を置いて複数個設けられるピース部材である場合は、ブラケットの総部材量を少なくすることができ、より安価に実施することができる。
【００３０】
このような本発明の建物の改修方法は、建物の外壁面に設けられた既設の化粧胴差を交換する建物の改修方法であって、既設の化粧胴差を建物から撤去し、上記した本発明の化粧胴差に交換する構成とされている。
【００３１】
上記した構成なので、建物の外壁面に設けられた既設の化粧胴差を交換する建物の改修するにあたっても、上記した本発明の化粧胴差の効果を奏することができる。
【００３２】
ここで、本発明の化粧胴差には、既設の化粧胴差よりも上下幅が広いものを用いる場合は、本発明の化粧胴差により、既設の化粧胴差を撤去した後の外壁面の塗装の色ムラも覆い隠すことができる。
【図面の簡単な説明】
【００３３】
【図１】実施例１の既設の化粧胴差が設置された建物の概略構成を示す説明図である。
【図２】実施例１の建物の改修方法の完成図であって、実施例１の化粧胴差の取付構造の概略構成を示す説明図である。
【図３】実施例１の化粧胴差の分解図である。
【図４】実施例２の化粧胴差の取付構造の概略構成を示す説明図である。
【図５】実施例３の化粧胴差の取付構造の概略構成を示す説明図である。
【発明を実施するための形態】
【００３４】
以下、本発明を実施するための形態を、図面に示す実施例１〜３に基づいて説明する。
【実施例１】
【００３５】
先ず、実施例１の構成について説明する。
【００３６】
図１は、実施例１の既設の化粧胴差３が設置された建物１の概略構成を示している。
【００３７】
この建物１では、１階の外壁パネル２ａと２階の外壁パネル２ｂとの間を塞ぐように、既設の化粧胴差３が設置され、防水を行うとともに、外壁面２にアクセントを持たせ、建物１の意匠性を高めることがなされている。
【００３８】
この化粧胴差３の部分は、建物１の意匠性を高めるうえで、重要な役割を果たしているため、耐久期間が来る前であっても、この部分を好みのものに交換する改修工事をしたいとの要請がある。
【００３９】
よって、実施例１の建物の改修方法を説明しながら、実施例１の化粧胴差、及び実施例１の化粧胴差の取付構造についても説明する。
【００４０】
この実施例１の建物の改修方法では、まず、建物１の外壁面２から、既設の化粧胴差３を撤去する。
【００４１】
この化粧胴差３を撤去した状態では、化粧胴差３が設置されていた位置と、その周囲とでは、経年変化により、色ムラが有る。
【００４２】
また、途中で外壁面２の塗り替えを行っている場合には、化粧胴差３が設置されていた位置と、その周囲との間に段差も有る。
【００４３】
そこで、図２に示したように、既設の化粧胴差３が設置されていた位置に、この既設の化粧胴差３よりも上下幅の広い実施例１の化粧胴差３０を設置して交換する。
【００４４】
これにより、この実施例１の化粧胴差３０により、既設の化粧胴差３を撤去したことでできる色ムラや段差は覆い隠されることとなる。
【００４５】
次に、実施例１の化粧胴差３０、及び実施例１の化粧胴差の取付構造について更に詳細に説明する。
【００４６】
実施例１の化粧胴差３０は、図３に示したように、建物１の外壁面２に固定されるブラケット３０Ａと、ブラケット３０Ａに嵌め込まれて支持される胴差本体３０Ｂとから主に構成される。
【００４７】
ここで、ブラケット３０Ａは、胴差本体３０Ｂの長手方向に間隔を置いて複数個設けられるピース部材である。
【００４８】
また、胴差本体３０Ｂは、その上端部の内側に、弾性部材４が設けられているとともに、その下端部には、下方に延設した水切部３０ａが設けられている。
【００４９】
さらに、ブラケット３０Ａの前側表面の形状と、胴差本体３０Ｂの前側裏面の形状とは略同一の形状とされている。
【００５０】
また、ブラケット３０Ａ及び胴差本体３０Ｂは、前側の中間部に窪みを有する縦の断面形状である。
【００５１】
さらに、ブラケット３０Ａに胴差本体３０Ｂを嵌め込むと係合する係合突起５１，５２及び５３，５４が、ブラケット３０Ａの上部及び下部と、胴差本体３０Ｂの上部及び下部とにそれぞれ設けられている。
【００５２】
そして、この実施例１の化粧胴差の取付構造では、図２に示したように、１階の外壁パネル２ａと２階の外壁パネル２ｂとの隙間Ｓを塞ぐように、ブラケット３０Ａの後側に形成した固定片３０ｂ，３０ｂから固定部材としてのタッピングビス６，６を、１階の外壁パネル２ａへねじ込むことにより、ブラケット３０Ａが外壁面２に固定される。
【００５３】
なお、タッピングビス６，６の先端部は、１階の外壁パネル２ａの裏面にある梁７のウェブ部も貫通して強固に固定されている。
【００５４】
この固定されたブラケット３０Ａに、胴差本体３０Ｂを嵌め込むと、係合突起５１，５２及び５３，５４がそれぞれ係合する。
【００５５】
同時に、弾性部材４が、胴差本体３０Ｂの上端部と外壁面２との間で圧縮変形し、この実施例１の化粧胴差３０の上側は水密状態となる。
【００５６】
また、ブラケット３０Ａの上側面と、胴差本体３０Ｂの上側面とが、締結部材としてのビス８で固定される。
【００５７】
さらに、ブラケット３０Ａの前側面と、胴差本体３０Ｂの前側面とが、これらの窪んだところで、固定部材としてのリベット９により固定される。
【００５８】
これにより、図２に示したように、実施例１の化粧胴差の取付構造が完成する。
【００５９】
次に、実施例１の作用効果について説明する。
【００６０】
このような実施例１の化粧胴差は、建物１の外壁面２に設けられる化粧胴差３０であって、外壁面２に固定されるブラケット３０Ａと、ブラケット３０Ａに嵌め込まれて支持される胴差本体３０Ｂとから成り、胴差本体３０Ｂの上端部の内側には、弾性部材４が設けられた構成とされている。
【００６１】
上記した構成なので、ブラケット３０Ａに胴差本体３０Ｂを嵌め込むと、胴差本体３０Ｂの上端部と外壁面２との間で弾性部材４が圧縮変形することにより、製造誤差や外壁面２の段差等による不具合な隙間を吸収した防水構造となるため、上端部の防水処理を簡易に行うことができる。なお、工場から施工現場へ運搬する際には、ブラケット３０Ａに胴差本体３０Ｂを嵌め込んだ状態とすれば、少ない嵩の運搬量で済む。
【００６２】
ここで、胴差本体３０Ｂの下端部には、下方に延設した水切部３０ａが設けられている。
【００６３】
このため、水切部３０ａで下端部の防水が行えるし、雨垂れにより下方の外壁面２が汚れることも防止することができる。
【００６４】
また、ブラケット３０Ａの前側表面の形状と、胴差本体３０Ｂの前側裏面の形状とが略同一とされている。
【００６５】
このため、化粧胴差３０の前側が二重構造となり、その分、高強度とすることができる。
【００６６】
さらに、ブラケット３０Ａ及び胴差本体３０Ｂは、前側の中間部に窪みを有する断面形状である。
【００６７】
このため、化粧胴差３０の断面二次モーメントが大きくなり、その分、より高強度とすることができる。
【００６８】
このような実施例１の化粧胴差の取付構造は、建物１の外壁面２に設けられた化粧胴差の取付構造であって、上記した実施例１の化粧胴差３０が用いられており、ブラケット３０Ａが、外壁面２に固定され、固定されたブラケット３０Ａに、胴差本体３０Ｂが嵌め込まれ、弾性部材４が胴差本体３０Ｂの上端部と外壁面２との間で圧縮変形し、上側が水密状態となった構成とされている。
【００６９】
上記した構成なので、上記した実施例１の化粧胴差３０の作用効果を奏する取付構造とすることができる。
【００７０】
ここで、ブラケット３０Ａの上部及び下部と、胴差本体３０Ｂの上部及び下部とには、係合突起５１，５２及び５３，５４がそれぞれ設けられ、ブラケット３０Ａに胴差本体３０Ｂが嵌め込まれ、係合突起５１，５２及び５３，５４同士が係合し、固定されている。
【００７１】
このため、ブラケット３０Ａに胴差本体３０Ｂを嵌め込むだけで簡易に固定することができる。
【００７２】
また、ブラケット３０Ａの上側面と、胴差本体３０Ｂの上側面とが、締結部材としてのビス８で固定されている。
【００７３】
このため、ブラケット３０Ａと胴差本体３０Ｂとの固定強度をより高めることができ、締結部材としてのビス８で固定する位置は、ブラケット３０Ａ及び胴差本体３０Ｂの上側面なので、地上から見上げてもその部分は隠れ、意匠的美観が損なわれることはない。
【００７４】
さらに、ブラケット３０Ａの前側面と、胴差本体３０Ｂの前側面とが、固定部材としてのリベット９で固定されている。
【００７５】
このため、ブラケット３０Ａと胴差本体３０Ｂとの固定強度を更により高めることができる。
【００７６】
また、ブラケット３０Ａは、胴差本体３０Ｂの長手方向に間隔を置いて複数個設けられるピース部材である。
【００７７】
このため、ブラケット３０Ａの総部材量を少なくすることができ、より安価に実施することができる。
【００７８】
このような実施例１の建物の改修方法は、建物１の外壁面２に設けられた既設の化粧胴差３を交換する建物の改修方法であって、既設の化粧胴差３を建物１から撤去し、上記した実施例１の化粧胴差３０に交換する構成とされている。
【００７９】
上記した構成なので、建物１の外壁面２に設けられた既設の化粧胴差３を交換する建物１の改修するにあたっても、上記した実施例１の化粧胴差３０の作用効果を奏することができる。
【００８０】
ここで、この実施例１の化粧胴差３０には、既設の化粧胴差３よりも上下幅が広いものを用いる。
【００８１】
このため、実施例１の化粧胴差３０により、既設の化粧胴差３を撤去した後の外壁面２の塗装の色ムラも覆い隠すことができる。
【実施例２】
【００８２】
次に、実施例２について説明する。
【００８３】
なお、実施例１で説明した内容と同一乃至均等な部分の説明については同一符号を付して説明する。
【００８４】
図４は、実施例２の化粧胴差の取付構造の概略構成を示している。
【００８５】
この実施例２では、化粧胴差３０として、上下幅が更に広いものを用いたことが実施例１と主に異なる。
【００８６】
これにより、実施例１の化粧胴差３０よりも上下幅が広いものが合う建物１の意匠性を高めることができる。
【００８７】
なお、他の構成及び作用効果については、実施例１と略同様であるので説明を省略する。
【実施例３】
【００８８】
次に、実施例３について説明する。
【００８９】
なお、実施例１で説明した内容と同一乃至均等な部分の説明については同一符号を付して説明する。
【００９０】
図５は、実施例３の化粧胴差の取付構造の概略構成を示している。
【００９１】
この実施例３では、１階の外壁パネル２ａと２階の外壁パネル２ｂとの間の隙間Ｓを、化粧胴差３０の下端部の水切部３０ａの部分で覆い隠していることが実施例１と主に異なる。
【００９２】
すなわち、防水処理については、１階の外壁パネル２ａと２階の外壁パネル２ｂとの間の隙間Ｓを塞ぐガスケット１０で略充分で、化粧胴差３０の水切部３０ａの役目は補助的なものであり、特に、建物１の意匠性を高めることに重きを置いている。
【００９３】
なお、他の構成及び作用効果については、実施例１と略同様であるので説明を省略する。
【００９４】
以上、図面を参照して、本発明を実施するための形態を実施例１〜３に基づいて詳述してきたが、具体的な構成は、これら実施例１〜３に限らず、本発明の要旨を逸脱しない程度の設計的変更は、本発明に含まれる。
【００９５】
例えば、上記した実施例１〜３では、１階の外壁パネル２ａと２階の外壁パネル２ｂとの間の隙間Ｓを塞ぐように化粧胴差３０を設けて実施したが、これに限定されず、意匠性を高めることだけを目的として、この隙間Ｓが無い部分に化粧胴差３０を設けて実施してもよい。
【００９６】
また、上記した実施例１〜３では、建物１を改修する際に、化粧胴差３０を用いて実施したが、これに限定されず、新築の建物に用いて実施してもよい。
【符号の説明】
【００９７】
１      建物
２      外壁面
２ａ    １階の外壁パネル
２ｂ    ２階の外壁パネル
Ｓ      （１階の外壁パネルと２階の外壁パネルとの間の）隙間
３      既設の化粧胴差
３０    化粧胴差
３０Ａ  ブラケット
３０Ｂ  胴差本体
３０ａ  水切部
３０ｂ  固定片
４      弾性部材
５１    係合突起
５２    係合突起
５３    係合突起
５４    係合突起
６      タッピングビス（固定部材）
７      梁
８      ビス（締結部材）
９      リベット（固定部材）
１０    ガスケット
【図１】
2016180288.tif 000003
【図２】
2016180288.tif 000004
【図３】
2016180288.tif 000005
【図４】
2016180288.tif 000006
【図５】
2016180288.tif 000007